【手続補正書】
【提出日】平成24年5月2日(2012.5.2)
【手続補正１】
【補正対象書類名】明細書
【補正対象項目名】００６１
【補正方法】変更
【補正の内容】
【００６１】
実施形態がここに詳細に記述されているが、その記述は例示のみのためであり、限定する意味に解釈されないことを理解すべきである。従って、実施形態の詳細における数字の変更及び追加の実施形態は、明らかであり、この記述を参照して当業者によってなされ得ることをさらに理解すべきである。すべてのそのような変更及び追加の実施形態は記載の請求項の範囲内にあることが予期される。
（態様１）
前側面及び後側面を有する眼科用レンズと、
前記眼科用レンズと結合している一つ以上のハプティックスとを備え、
前記後側面又は前記前側面のうちの何れか一つは、前記眼科用レンズが非球面レンズとして構成されるように成形され、前記後側面又は前記前側面のうちの何れか一つは、前記眼科用レンズがトーリックレンズとして構成されるように成形される眼科用デバイス。
（態様２）
前記後側面は、前記眼科用レンズが前記非球面レンズ及び前記トーリックレンズとして構成されるように成形される、態様１に記載の眼科用デバイス。
（態様３）
前記前側面は、前記眼科用レンズが前記非球面レンズ及び前記トーリックレンズとして構成されるように成形される、態様１に記載の眼科用デバイス。
（態様４）
前記後側面は、前記眼科用レンズが非球面レンズとして構成されるように成形され、前記前側面は、前記眼科用レンズがトーリックレンズとして構成されるように成形される、態様１に記載の眼科用デバイス。
（態様５）
前記前側面は、前記眼科用レンズが非球面レンズとして構成されるように成形され、前記後側面は、前記眼科用レンズがトーリックレンズとして構成されるように成形される、態様１に記載の眼科用デバイス。
（態様６）
前記眼科用レンズは、45度子午線において特定のエッジの厚さを有する、態様１に記載の眼科用デバイス。
（態様７）
前記特定のエッジの厚さは、0.2と0.3mmの間である、態様１に記載の眼科用デバイス。
（態様８）
前記エッジの厚さは、周期的に変化する、態様６に記載の眼科用デバイス。
（態様９）
前記非球面は、全ての円柱の子午線に対して単一の非球面性をもつように成形される、態様１に記載の眼科用デバイス。
（態様１０）
前記非球面は、第１の子午線に対する第１の非球面性及び第２の子午線に対する第２の非球面性をもつように成形される、態様１に記載の眼科用デバイス。
（態様１１）
前記第１の子午線及び前記第２の子午線は、主子午線である、態様１に記載の眼科用デバイス。
（態様１２）
前記ハプティックスは、ACRYSOFで形成される、態様１に記載の眼科用デバイス。
（態様１３）
前記ハプティックスは、生体適合性材料との付着を促進するために粗面化される、態様１に記載の眼科用デバイス。
（態様１４）
前記眼科用デバイスは、非点収差に係る一つ以上の子午線に対して前記眼科用レンズの位置合わせを補助するために置かれる一セットのマーカを備える、態様１に記載の眼科用デバイス。
（態様１５）
患者に埋め込む眼科用デバイスを選択することと、
前記患者の眼の中に前記眼科用デバイスを埋め込むことと、を含み、
前記眼科用デバイスは、
前側面及び後側面を有する眼科用レンズと、
前記眼科用レンズと結合している一つ以上のハプティックスとを備え、
前記後側面又は前記前側面のうちの何れか一つは、前記眼科用レンズが非球面レンズとして構成されるように成形され、前記後側面又は前記前側面のうちの何れか一つは、前記眼科用レンズがトーリックレンズとして構成されるように成形される、
眼科用方法。
（態様１６）
前記後側面は、前記眼科用レンズが前記非球面レンズ及び前記トーリックレンズとして構成されるように成形される、態様１５に記載の眼科用方法。
（態様１７）
前記前側面は、前記眼科用レンズが前記非球面レンズ及び前記トーリックレンズとして構成されるように成形される、態様１５に記載の眼科用方法。
（態様１８）
前記後側面は、前記眼科用レンズが非球面レンズとして構成されるように成形され、前記前側面は、前記眼科用レンズがトーリックレンズとして構成されるように成形される、態様１５に記載の眼科用方法。
（態様１９）
前記前側面は、前記眼科用レンズが非球面レンズとして構成されるように成形され、前記後側面は、前記眼科用レンズがトーリックレンズとして構成されるように成形される、態様１５に記載の眼科用方法。
（態様２０）
前記眼科用レンズは、45度子午線において特定のエッジの厚さを有する、態様１５に記載の眼科用方法。
（態様２１）
前記特定のエッジの厚さは、0.2と0.3mmの間である、態様１５に記載の眼科用方法。
（態様２２）
前記エッジの厚さは、周期的に変化する、態様１９に記載の眼科用方法。
（態様２３）
前記非球面は、全ての円柱の子午線に対して単一の非球面性をもつように成形される、態様１５に記載の眼科用方法。
（態様２４）
前記非球面は、第１の子午線に対する第１の非球面性及び第２の子午線に対する第２の非球面性をもつように成形される、態様１５に記載の眼科用方法。
（態様２５）
前記第１の子午線及び前記第２の子午線は、主子午線である、態様１５に記載の眼科用方法。
（態様２６）
前記ハプティックスは、ACRYSOFで形成される、態様１５に記載の眼科用方法。
（態様２７）
前記ハプティックスは、生体適合性材料との付着を促進するために粗面化される、態様１５に記載の眼科用方法。
（態様２８）
前記眼科用デバイスを選択することは、前記眼に残存する非点収差を最小化するように前記眼科用デバイスを選択することを含む、態様１５に記載の眼科用方法。
（態様２９）
前記眼科用デバイスを選択することは、術前の円柱軸を維持するように前記眼科用デバイスを選択することを含む、態様１５に記載の眼科用方法。
（態様３０）
前記眼科用デバイスを選択することは、特定の子午線に残存する非点収差を小さくするように前記眼科用デバイスを選択することを含む、態様１５に記載の眼科用方法。
（態様３１）
前記眼科用レンズ上のマーカを用いて前記眼科用レンズを非点収差に係る子午線に位置合わせすることを含む、態様１５に記載の眼科用方法。
（態様３２）
前側面と、
後側面とを備え、
前記前側面又は前記後側面のうちの何れか一つは、非球面性を有し、前記前側面又は前記後側面のうちの何れか一つは、トーリック性を有する、眼科用レンズ。
（態様３３）
単一の面が、非球面性及びトーリック性をもつように成形される、態様３２に記載の眼科用レンズ。
（態様３４）
前記単一の面は、次式により定義され、
【数７】
2011519682.tif 000001
ここで、
【数８】
2011519682.tif 000002
ここで、
【数９】
2011519682.tif 000003
である態様３３に記載の眼科用レンズ。
（態様３５）
分離された面が、前記トーリック性及び前記非球面性を有する、態様３２に記載の眼科用レンズ。
（態様３６）
前記第１の面及び前記第２の面は、次式により定義され、
【数１０】
2011519682.tif 000004
及び
【数１１】
2011519682.tif 000005
ここで、
【数１２】
2011519682.tif 000006
及び
【数１３】
2011519682.tif 000007
及び
【数１４】
2011519682.tif 000008
である態様３５に記載の眼科用レンズ。
【手続補正２】
【補正対象書類名】特許請求の範囲
【補正対象項目名】全文
【補正方法】変更
【補正の内容】
【特許請求の範囲】
【請求項１】
前側面（１４）及び後側面（１６）を有する眼科用レンズ（１０）と、
前記眼科用レンズと結合している一つ以上のハプティックス（２０）とを備え、
前記後側面又は前記前側面のうちの何れか一つは、前記眼科用レンズが非球面レンズとして構成されるように成形され、前記後側面又は前記前側面のうちの何れか一つは、前記眼科用レンズがトーリックレンズとして構成されるように成形され、
前記眼科用レンズは、45度子午線において0.2と0.3mmの間の特定のエッジの厚さを有し、前記エッジの厚さは、前記トーリックレンズの周りで一定又は周期的に変化することを特徴とする眼科用デバイス。
【請求項２】
前記後側面または前記前側面のうちの何れか一つは、前記眼科用レンズが前記非球面レンズ及び前記トーリックレンズとして構成されるように成形される、請求項１に記載の眼科用デバイス。
【請求項３】
単一の面が、トーリック性及び非球面性をもつように成形され、
前記単一の面は、次式により定義され、
【数１】
2011519682.tif 000009
ここで、
【数２】
2011519682.tif 000010
ここで、
【数３】
2011519682.tif 000011
ここで、トーリック面において、kx 及びkyは、0であってはならず、
【数４】
2011519682.tif 000012
である請求項１に記載の眼科用デバイス。
【請求項４】
前記後側面または前記前側面のうちの一方は、前記眼科用レンズが非球面レンズとして構成されるように成形され、前記後側面または前記前側面のうちの他方は、前記眼科用レンズがトーリックレンズとして構成されるように成形される、請求項１に記載の眼科用デバイス。
【請求項５】
前記前側面及び前記後側面は、非球面性及びトーリック性を提供するように前記デバイスの離れた第１の面及び第２の面であり、次式により定義され、
【数５】
2011519682.tif 000013
及び
【数６】
2011519682.tif 000014
ここで、
【数７】
2011519682.tif 000015
及び
【数８】
2011519682.tif 000016
及び
【数９】
2011519682.tif 000017
ここで、r、θは、レンズ中心からの軸方向距離及び子午線の角度であり、cx、cyは、曲率であり、kx、kyは、二つのトーリック主子午線に対する円錐定数である、請求項１に記載の眼科用デバイス。
【請求項６】
四つの前記45度子午線における厚さは、全て等しい、請求項１に記載の眼科用デバイス。
【請求項７】
四つの前記45度子午線における厚さは、全て略0.21mmである、請求項６に記載の眼科用デバイス。
【請求項８】
前記エッジの厚さは、正弦的に変化する、請求項１に記載の眼科用デバイス。
【請求項９】
前記非球面は、全ての円柱の子午線に対して単一の非球面性をもつように成形される、請求項１に記載の眼科用デバイス。
【請求項１０】
前記非球面は、第１の子午線に対する第１の非球面性及び第２の子午線に対する第２の非球面性をもつように成形される、請求項１に記載の眼科用デバイス。
【請求項１１】
前記第１の子午線及び前記第２の子午線は、主子午線である、請求項１０に記載の眼科用デバイス。
【請求項１２】
前記ハプティックスは、ACRYSOFで形成される、請求項１に記載の眼科用デバイス。
【請求項１３】
前記ハプティックスは、生体適合性材料との付着を促進するために粗面化される、請求項１に記載の眼科用デバイス。
【請求項１４】
前記眼科用デバイスは、非点収差に係る一つ以上の子午線に対して前記眼科用レンズの位置合わせを補助するために置かれる一セットのマーカを備える、請求項１に記載の眼科用デバイス。